(57)【要約】  家具のドアに組み付けられるヒンジ（１０、３０、５０）は、家具の固定部に固定可能な第１のヒンジ要素（１１、３１、５１）と、家具のドアに固定可能であって、第１のヒンジ要素（１１、３１、５１）にスイング可能に連結される第２のヒンジ要素（１２、３２、５２）と、少なくともドアの閉扉位置近くで、ドアの開扉方向の力を発生させる少なくとも１つのスプリング要素（１９、３７、５７）と、を有し、少なくとも１つのスプリング開扉要素（１９、３７、５７）が、第１のヒンジ要素（１１、３１、５１）および第２のヒンジ要素（１２、３２、５２）の一方上または内部に配置された開扉デバイス（１６、３５、５５）内に収容され、開扉デバイス（１６、３５、５５）が、第１のヒンジ要素（１１、３１、５１）および第２のヒンジ要素（１２、３２、５２）の他方に直接的または間接的に開扉力を加えるように構成および配置されている。
2020528977.tif 000002
【特許請求の範囲】
【請求項１】
家具のドアに組み付けられるヒンジ（１０、３０、５０）であって、
家具の固定部に固定可能な第１のヒンジ要素（１１、３１、５１）と、
家具のドアに固定可能であって、第１のヒンジ要素（１１、３１、５１）にスイング可能に連結される第２のヒンジ要素（１２、３２、５２）と、
少なくともドアの閉扉位置近くで、ドアの開扉方向の力を発生させる少なくとも１つのスプリング要素（１９、３７、５７）と、を有し、
少なくとも１つのスプリング開扉要素（１９、３７、５７）が、第１のヒンジ要素（１１、３１、５１）および第２のヒンジ要素（１２、３２、５２）の一方上または内部に配置された開扉デバイス（１６、３５、５５）内に収容され、
開扉デバイス（１６、３５、５５）が、第１のヒンジ要素（１１、３１、５１）および第２のヒンジ要素（１２、３２、５２）の他方に直接的または間接的に開扉力を加えるように構成および配置されている、ヒンジ（１０、３０、５０）。
【請求項２】
開扉デバイス（１６、３５、５５）が、ドアに固定可能な第２のヒンジ要素（１２、３２、５２）内に配置されている、請求項１に記載のヒンジ（１０、３０．５０）。
【請求項３】
開扉デバイス（１６、３５、５５）が、ドアに固定可能な第２のヒンジ要素（１２、３２、５２）の側面に配置されている、請求項１に記載のヒンジ（１０、３０、５０）。
【請求項４】
開扉デバイス（１６、３５、５５）が、家具の固定部に固定可能な第１のヒンジ要素（１１、３１、５１）内に配置されている、請求項１に記載のヒンジ（１０、３０、５０）。
【請求項５】
開扉デバイス（１６、３５、５５）が、第１のヒンジ要素（１１、３１、５１）および第２のヒンジ要素（１２、３２、５２）の一方に固定可能な本体（１７、３６、５６）と、第１のヒンジ要素（１１、３１、５１）および第２のヒンジ要素（１２、３２、５２）の他方のための可動付勢部材（１８、３８、５８）とを備え、
少なくとも１つのスプリング開扉要素（１９、３７、５７）が、本体１７、３６、５６）と付勢部材（１８、３８、５８）の間に介在している、請求項１から４のいずれか一項に記載のヒンジ（１０、３０、５０）。
【請求項６】
付勢部材（１８、３８）が、第１のヒンジ要素（１１、３１、５１）または第２のヒンジ要素（１２、３２、５２）に接触する押圧面、または、第１のヒンジ要素と第２のヒンジ要素との間の連結部を備える、請求項５に記載のヒンジ（１０、３０、５０）。
【請求項７】
付勢部材（１８、３８、５８）が、第１のヒンジ要素（１１、３１、５１）または第２のヒンジ要素（１２、３２、５２）に動作可能に接続されている、または、これらの間を伝達機構を介して連結する部材に動作可能に接続されている、請求項５に記載のヒンジ（１０、３０、５０）。
【請求項８】
開扉デバイス（１６、３５、５５）のための調節機構を有する、請求項１から７のいずれか一項に記載のヒンジ（１０、３０、５０）。
【請求項９】
開扉デバイスのための調節機構が、開扉デバイス（１６、３５、５５）の本体に対して可動付勢部材のストロークを調節するための手段を有する、請求項８に記載のヒンジ（１０、３０、５０）。
【請求項１０】
開扉デバイス（１６、３５、５５）のための調節機構が、少なくとも１つのスプリング要素（１９、３７、５７）のプレテンションを調節可能な手段を有する、請求項８に記載のヒンジ（１０、３０、５０）。
【請求項１１】
開扉デバイス（１６、３５、５５）のための調節機構が、第１のヒンジ要素または第２のヒンジ要素に対して固定されている開扉デバイスの位置を変更するための手段を有する、請求項８に記載のヒンジ（１０、３０、５０）。
【請求項１２】
調節機構が、可動付勢部材１８に直接的または間接的に係合可能な調節部材（２５）を有する、請求項８から１０のいずれか一項に記載のヒンジ（１０、３０、５０）。
【請求項１３】
調節部材（２５）が、収容体（１７）上に移動可能に支持される要素として構成され、
その移動可能要素（２５）が、収容体（１７）の貫通穴を通過して延在し、可動付勢部材１８に直接的または間接的に係合する突起部を備える、請求項１２に記載のヒンジ（１０、３０、５０）。
【請求項１４】
伝達機構が、第１連結揺動部材（３３）と第２の連結揺動部材（３４）を少なくとも有し、
一方の揺動部材（３３）が、付勢部材（３８）によって作動可能な伝達カム（４１）を備え、
調節機構が、揺動部材（３３）に対して移動可能に支持される前記伝達カム（４１）を提供し、揺動部材（３３）上に移動可能支持され、カム（４１）を停止させる要素（４３）を有する、請求項７と請求項８から１０のいずれか一項とに記載のヒンジ（１０、３０、５０）。
【請求項１５】
調節機構が、開扉デバイス（１６、３５、５５）を連続的に調節するように構成されている、請求項８から１４のいずれか一項に記載のヒンジ（１０、３０、５０）。
【請求項１６】
調節機構が、開扉デバイス（１６、３５、５５）を不連続的に調節するように構成されている、請求項８から１４のいずれか一項に記載のヒンジ（１０、３０、５０）。
【請求項１７】
調節または停止部材（２５、４３、６３）が、スライド可能なスライダ、回転可能要素、揺動要素、またはねじ要素として構成されている、請求項１３または１４に記載のヒンジ（１０、３０、５０）。
【発明の詳細な説明】
【技術分野】
【０００１】
本発明は、開扉デバイスを備える家具などのドア用のヒンジに関する。
【背景技術】
【０００２】
室内装飾分野で使用される家具には、しばしば、ハンドルなどのグリップ部を備えてないドアが設けられている。この場合、ドアは、一般的に、ヒンジ手段によって家具の本体にスイング可能に取り付けられている。このようなヒンジ手段は、家具の本体に固定される第１のヒンジ要素と、ドアに固定されて関節手段によってスイング可能に第１のヒンジ要素に連結される第２のヒンジ要素と、第１の要素に直接的に設けられ、少なくとも閉扉位置近くでドアを開扉方向に移動するように関節手段に作用する少なくとも１つのスプリングとを有する。この種のヒンジは、例えばＤＥ１０１５２６９９によって公知である。
【０００３】
閉扉位置でドアを解除可能に停止させるために、家具はさらに、適当な係合デバイスを備える。係合デバイスは、ユーザが閉扉状態のドアを少し押すことによって解除される。それにより、ヒンジのスプリングが、少なくともユーザがドアを十分に把持できる程度までドアを開扉方向に移動させることができ、その結果、ドアを完全に開けることができる。
【０００４】
しかしながら、公知のヒンジにおいて、開扉用スプリングは、特定の重量やサイズのドアに対して最適化された構造を備えている。しかし、この構造は、製造中に容易に変更することができない。それは、小さな形状変更であっても、ヒンジの挙動が大きく変化し、とりわけスプリングの寿命が容認できないほど減少するからである。
【０００５】
それゆえ、上述したように最適化されたものと異なるサイズや重量のドアを組み付ける必要がある場合、上述の係合デバイスが閉扉位置で停止するドアを常に保持することができるとは限らないというリスクがあるとともに、スプリングがその必要なドアに対して過剰な開扉力を加える可能性がある。
【０００６】
それゆえ、本発明の目的は、ドアの開扉に関する有効弾性動作とヒンジの高い信頼性を維持しつつ、異なる重量やサイズを備えるドア用のヒンジの用途に容易に適応できる、家具などのドア用ヒンジを提供することである。
【０００７】
本目的の範囲内において、本発明の目的は、ヒンジを家具に組み付けた後であっても弾性開扉手段を容易に調節することができる、上述の種類の家具などのドア用ヒンジを提供することである。
【０００８】
本目的や本発明の他の目的は、以下の説明によって明らかになり、これらを達成する家具のドアに組み付けられるヒンジは、
−家具の固定部に固定可能な第１のヒンジ要素と、
−家具のドアに固定可能であって、第１のヒンジ要素にスイング可能に連結される第２のヒンジ要素と、
−ドアの開扉方向の力を発生させる少なくとも１つのスプリング要素と、を有し、
少なくとも１つのスプリング開扉要素が、第１のヒンジ要素および第２のヒンジ要素の一方上または内部に配置された開扉デバイス内に収容され、
開扉デバイスが、第１のヒンジ要素および第２のヒンジ要素の他方に直接的または間接的に開扉力を加えるように構成および配置されている。
【０００９】
本発明のさらなる特徴については、従属項によってさらに定義されている。
【図面の簡単な説明】
【００１０】
本発明の特徴や利点は、以下に示すいくつかの好適な且つ非限定的な、開扉デバイスを備える家具用ヒンジの実施の形態の説明と添付の図面とによって明らかになる。
【図１】本発明の第１の実施の形態に係る、開扉位置のヒンジの斜視図であって、最大開扉力位置に配置されている開扉デバイス調節手段を示す図
【図２】図１のII−II線に沿ったヒンジの縦方向断面図
【図３】図１のIII−III線に沿ったヒンジの縦方向断面図
【図４】図２の断面図であって、開扉デバイスによる開扉動作が終了する角度位置を示す図
【図５】図２の断面図であって、開扉デバイスの調節手段が最小開扉力位置に配置され、それにより開扉デバイスが収縮状態であるときの図
【図６】図５の断面図であって、開扉デバイスによる開扉動作が終了する角度位置を示す図
【図７】本発明の第２の実施の形態に係る、開扉位置のヒンジの斜視図であって、最大開扉力位置に配置されている開扉デバイス調節手段を示す図
【図８】図７のヒンジの断面図
【図９】図８のIX−IX線に沿ったヒンジの縦方向断面図であって、開扉デバイスによる開扉動作が終了する角度位置を示す図
【図１０】図７の平面図であって、最小開扉力位置に配置されている開扉デバイスの調節手段を示す図
【図１１】図１０のヒンジの縦方向断面図であって、開扉デバイスによる開扉動作が終了する角度位置を示す図
【図１２】本発明の第３の実施の形態に係る、閉扉位置のヒンジの縦方向断面図であって、最小開扉力位置に配置されている開扉デバイス調節手段を示す図
【図１３】図１２のヒンジの図であって、開扉デバイスによる開扉動作が終了する角度位置を示す図
【図１４】図１２の閉扉位置のヒンジの図であって、開扉デバイスの調節手段が最小開扉力位置に位置するときの図
【発明を実施するための形態】
【００１１】
図１〜図６は、符号１０で示された本発明の第１の実施の形態に係るヒンジは、特に、ヒンジが固定されるフロントフレームを備えるアメリカンタイプの家具への使用に適するように構成されている。
【００１２】
このタイプのヒンジ１０は、一般的に、１つ以上の部品から作製され、家具の固定部、特にフロントフレームにヒンジを固定するための第１のヒンジ要素すなわちアーム１１と、家具のドアに固定されるための第２のヒンジ要素すなわちボックス１２とを有する。
【００１３】
ボックス１２は、そのボックス１２の縦方向後端で、選択的に固定アーム１１の縦方向軸に対して横に延在する１つの揺動旋回軸１３でスイング可能に固定アーム１１に連結されている。それにより、ボックス１２は、閉扉位置と図１に示すドアの開扉位置との間で回転することができる。
【００１４】
ヒンジのボックス１２は、底壁１４と、後端から始まってボックスの反対側に縦方向に延在する側壁１５’、１５”とを有する。
【００１５】
ヒンジ１０はさらに、ボックス１２内に配置される開扉デバイス１６を有する。開扉デバイス１６は、その後端でヒンジのボックス１２内に固定される保持用本体すなわち収容用本体１７と、例えば、ボックス１２の底壁１４に対して平行な保持用本体１７内で少なくとも部分的にスライドできるように配置された、あるいはボックス１２の底壁１４と保持用本体１７との間でスライドするように配置された、スライダ１８として構成されている可動付勢部材とを有する。
【００１６】
開扉デバイス１６はさらに、少なくとも閉扉位置近くでドアの開扉方向の力を発生させるために、例えばヘリカルスプリングとして構成され、選択的には本体１７とスライダ１８との間に介在するようにそのデバイス内に収容された少なくとも１つのスプリング開扉要素１９を有する。
【００１７】
スライダ１８は、ヒンジが閉扉位置にあるときの第１の収縮位置と、ヒンジが開扉位置にあるときの第２の位置との間で移動可能である。第１の収縮位置では、弾性開扉要素１９が、第１のヒンジ要素１１に対して直接的または間接的に開扉力を加えることができるように、圧縮される。第２の位置では、ヒンジの開扉位置で少なくとも部分的に伸び、弾性開扉要素１９が、開扉力を加えた後であって少なくとも部分的に解放されている。
【００１８】
選択的に、スライダ１８は、互いに間隔をあけて平行に延在し、例えば横接続要素２０によって機能的に互いに連結され、少なくとも１つのスプリング開扉要素１９のハウジングを画定する、第１および第２の筒状部１８’、１８”を有する。これにより、加えるべき開扉力に応じて、２つの筒状部１８’、１８”の中の一方に１つのスプリング１９を挿入することが可能であり、または筒状部それぞれに力特性が等しいまたは異なるスプリング１９を挿入することができる。
【００１９】
開扉力を開扉デバイス１６からヒンジ１１に伝達するために、スライダ１８の第１および第の筒状部１８’、１８”は、保持用本体１７からボックス１２の後端方向に突出した一端に、ヒンジアーム１１の接触面２２に対応する曲面すなわちプッシュアーム２１が設けられた閉鎖壁を備える。特に、図示する選択的な実施の形態においては、接触面２２は、アーム１１のフロント部２３の折り返し部上を延在している。
【００２０】
選択的に、曲面状押圧面２１は、ヒンジアーム１１の接触面２２に向かって凹状の円弧形状を備える。押圧面２１を適当に形成することにより、特にその曲率を調整することにより、要件やヒンジの用途に対応しつつ、ヒンジの開扉角度に応じる開扉力の変化を調節することが可能である。
【００２１】
スライダ１８のスライドをガイドするために、スライダの円筒壁１８’、１８”は、ブックス１２の側壁１５’、１５”に沿ってスライドできるような形状および構成の横ガイド進展部を備える。
【００２２】
開扉デバイスの組み立て性の向上のために、１つのスプリング１９が筒状部１８’、１８”の一方に設けられる場合、筒状部１８’、１８”の他方において、図示しないスライド要素を設けることが可能である。スライド要素は、筒状部１８’、１８”を閉じるリッドを通過してガイドされるように延在するステムに接続され、そのステムが終端するヘッドがデバイスの保持用本体１７に係合されている。
【００２３】
開扉デバイス１６の固定を容易且つ素早くできるように、保持用本体１７は、選択的に、ヒンジのボックス１２の横穴にスナップ係合可能な弾性の横翼または類似の手段を備える。これとは逆に、保持体１７が横穴を備え、ボックスが横翼を備えてもよい。
【００２４】
ボックス１２の側壁１５’、１５”は、選択的に、ボックス１２内に延在する、スライダ１８用のストローク制限突起２４を備える。
【００２５】
ヒンジの閉扉位置から始まる開扉挙動中、スライダ１８の曲面２１は、図４に示すようにヒンジの開扉角度が例えば３０°と４０°との間の角度になるまで、ヒンジアーム１１のアームの表面２２に対して接触したままである。ヒンジの旋回角度にしたがい、収縮位置から伸展位置まで移動する開扉デバイスのスライダ１８は、ヒンジアーム２１の部分３２に開扉押圧力を加えることができる。
【００２６】
選択的に、ヒンジ１０は、開扉デバイス１６を調節するまたは無効にするための調節機構または無効機構を有する。それにより、家具の製作者および／またはユーザは、開扉力を発生させるために各ドアに配置されるヒンジの数および／またはドアの重量やサイズ特性に応じてドアの開扉挙動を最適化するための開扉力の大きさを決定することができる。
【００２７】
図１〜図６に示す実施例によれば、調節機構は、少なくとも１つの弾性開扉要素１９のために設けられ、スライダ１８に対して直接的または間接的に選択的に係合できる調節部材２５を有する。調節部材２５は、解放位置と拘束位置との間で移動可能である。解放位置では、図１〜図３に示すように、スライダ１８が、最大の開扉力を加えるためにその全体のストロークが可能である。拘束位置では、図４〜図６に示すように、スライダ１８は、ストロークが制限される。ヒンジの開扉によって少なくとも部分的に収縮される位置で停止されるので、ヒンジの閉扉位置に対応する完全収縮位置で停止すると、開扉力の一部のみが加えられるあるいは全く開扉力が加えられない。
【００２８】
少なくとも１つの開扉スプリング１９は、筒状部１８’、１８”に対して直接的に挿入されてもよいし、中間保持要素２６を介して挿入されてもよい。中間保持要素２６が調節部材２５に作用することにより、多目的に開扉デバイスを停止させるまたは調節することができ、特に、２つのスプリング１９が存在する場合、例えば、それらのスプリング１９を個別に調節することができる。
【００２９】
特に、選択的に、保持要素２６は、カップ状の要素であって、開扉スプリング１９の後端が挿入され、調節部材２５に係合可能な横突起２６’を備える。さらに、カップ状の保持要素２６は、スライダ１８の筒状部１８’、１８”の少なくとも１つにスライド可能に挿入される。
【００３０】
保持要素は、弾性開扉手段を負荷状態で維持することができるのであれば、異なる形状および／または構成であってもよい。
【００３１】
選択的に、調節部材２５は、収容用本体１７の背面上で移動可能に支持された部材として構成され、収容用本体１７の背面に設けられた貫通穴を介して延在する突起部２５’を備える。突起部２５’は、図５に示すように、カップ状保持要素２６の横突起２６’に係合し、それにより開扉スプリング１９を調節または停止することができる。
【００３２】
選択的に、調節部材２５は、スライダ１８の縦方向の移動に対して横に移動することができる。なお、調節部材は、代わりとして、回転または旋回するように支持されてもよい。この場合、調節部材の一部が、スライダ１８に直接的に係合するまたは保持要素に間接的に係合するための適当な形状や構成を備える、すなわちねじ要素として構成される。
【００３３】
いずれの場合でも、概して、調節部材とそれと作用する開扉デバイスの一部分は、上述したような開扉デバイスの不連続的な調節、あるいは、調節部材またはそれと作用する開扉デバイスの一部分上に適当な傾斜面または作動カムを設けることによる連続的な調節ができるように、構成可能である。
【００３４】
さらに、調節部材２５は、例えばローレットやギザギザ面の形態で構成される、グリップ部などの手動またはツールによって作動される作動手段を備える。
【００３５】
ヒンジ１０の動作は次のとおりである。
ヒンジの開扉動作中において最大の開扉力が必要とされる場合、調節部材２５は、図１〜図３に示す解放位置に配置される。それにより、スライダ１８および／または保持要素２６が、少なくとも１つの開扉スプリング１９の動作を受けて縦方向に自由に移動することができる。その結果、ヒンジが、閉扉位置から最大の旋回円弧の開扉方向に付勢される。
【００３６】
代わりに、例えばドアが小さいまたは軽量である場合に開扉力を減少させるためにヒンジ１０の開扉デバイス１６を調節するまたは無効にする必要がある場合、ユーザが、ヒンジが開いている間に、調節部材２５を、横に動かすことによって調節位置または停止位置に移動させる。中間保持要素２６を用いない直接的な調節の場合、その調整位置または停止位置において、調節部材２５の下方で延在している突起部２５’が、保持要素２６の横突起２６’またはスライダ１８の一部分の縦方向の動作軌道上に配置される。
【００３７】
ここで、ヒンジ１０の第１の閉扉動作を実行することにより、アーム１１のフロント部２３が、スライダ２４の収縮位置で保持要素２６の横突起２６’と調節部材２５の突起部２５’とが係合するまで、スライダ１８と、それとともに保持要素２６とを押し進める。
【００３８】
それぞれに設けられた弾力性および／またはガイド面によって生じる係合により、保持体２６の突起部２６’と調節部材２５の突起部２５’の通過やこれらの間の相互係合が容易になる。
【００３９】
このような係合状態において、保持要素２６は、開扉スプリング１９を少なくとも部分的に負荷がかかった状態で維持し、それにより、スライダ１８が完全に伸展することを抑制し、その結果として、ヒンジによって発生する開扉力が抑制される。
【００４０】
最終的に、開扉デバイス１６を再び有効にさせる必要がある場合、ユーザは、調節部材２５を、横に動かして解放位置に移動させる必要がある。それにより、保持要素２６および／またはスライダ１８は自由状態になり、ドアが開くときに開扉スプリング１９がスライダ１８を伸展位置に向かって付勢することができる。
【００４１】
スライダのストロークを調節する上述の手段の代わりとして、調節機構は、少なくとも１つの弾性開扉要素にプレテンションを与える調節手段を提供してもよい。調節手段は、弾性要素、特に弾性要素がヘリカルスプリングの形態の場合に、例えばその両端に作用することによって弾性要素をより圧縮するまたは解放するような形状や構成を備える、例えば調節ねじ、くさび要素、偏心要素、または調節可能なシムとして構成される。
【００４２】
また、代わりとして、調節機構は、第１または第２のヒンジ要素に対して開扉デバイスの固定位置を変更するための手段を提供してもよい。図１のヒンジの場合、開扉デバイスは、例えばボックス１２内の異なる所定の複数の位置に固定されてもよい。あるいは、適当なサイズや構成の収容用本体１７が、ボックス１２内でデバイスの固定位置を連続的または不連続的に変更することができる偏心要素などの調節手段を介して、ボックス１２に固定されてもよい。
【００４３】
図７〜図１１は、本発明の第２の実施の形態に係るヒンジ３０を示している。ヒンジ３０は、家具の固定部に固定されるヒンジアーム３１と、家具のドアに固定され、ヒンジアーム３１にスイング可能に連結されているヒンジボックス３２とを有する。ヒンジボックス３２は、第１の旋回連結揺動部３３と第２の旋回連結揺動部３４とを備えてヒンジの閉扉位置と開扉位置との間の移動を可能にする少なくとも１つの旋回軸すなわち関節システムを介して、ヒンジアーム３１に連結されている。
【００４４】
ヒンジはさらに、ヒンジのアーム３１とボックス３２との間に相対的な閉扉挙動を生じさせるために、ヒンジボックス３２の側壁および／または底壁の外側に選択的に配置された開扉デバイス３５を有する。なお、開扉デバイス３５は、ヒンジボックス３２の内側にあってもよい。
【００４５】
開扉デバイス３５は、少なくとも１つのスプリング開扉要素３７のための収容用本体３６と、選択的に２つのスプリング要素３７と、ボックス３２の底に対して平行に移動可能なスライダとして選択的に構成された可動付勢部材３８とを有する。少なくとも１つの弾性要素３７が収容用本体３６と付勢部材３８との間に介在する。
【００４６】
選択的に、スプリング開扉要素３７は、ボックス３２の側壁と底との間の縁に配置されている、例えば、その縁に設けられたボックス３２の座部３９に部分的に挿入されている。
【００４７】
さらに、開扉デバイス３５とヒンジアーム３１すなわち連結揺動部３３、３４の一方との間に、伝達機構４０が存在する。特に、伝達機構４０は、第１の揺動部３３に連結され、付勢スライダ３８を作動するために要素４２によって作動される伝達カム４１を有する。それにより、スプリング部材３７の開扉力が揺動部３３に伝達され、閉扉位置から始まり、例えば３０°〜４０°の間の開扉角度までのヒンジの開扉挙動が生じる。
【００４８】
選択的に、ヒンジは、開扉デバイス３５を調節するまたはその機能を少なくとも部分的に無効にするために、開扉デバイスのための調節機構を有する。図７〜図１１に示す例示的な実施の形態の調節機構において、伝達カム４１は、ヒンジの揺動部３３に対して一体的に設けられておらず、揺動部３３に対して移動可能に、選択的には揺動部の回転軸を中心としてボックス３２に対してスイング可能に支持されている。
【００４９】
さらに、調節機構は、揺動部３３上で移動可能に支持されたカム４１のためのロック要素４３を有する。ロック要素４３は、横方向にスライド可能であるが、他の方向へのスライドまたは例えば回転動作などの他のタイプの動作であってもよい。それにより、ロック要素４３は、第１の有効位置（図７）と第２の調節または無効位置（図１０）との間で移動する。第１の有効位置では、カム４１が揺動部３３とともに動作して開扉デバイスが最大の開扉力を加える。第２の調節または無効位置では、カム４１が揺動部３３に対して特定の範囲で揺動可能であって、それにより、開扉デバイスが、揺動部３３上でのカム４１の揺動に応じて、減少した開扉力またはゼロの開扉力を加えることが可能になる。
【００５０】
特に、第２の無効位置においては、カム４１は、自由に揺動可能であって、揺動部３３に動作を伝達することができず、付勢部材３８の部分的な移動のみを実行し、その結果として、開扉力の全てまたは一部分が調節される。
【００５１】
また、停止要素４３と対応するカム４１は、開扉力の第１の有効位置と第２の無効位置との間の中間位置を備えてもよく、それにより、異なる程度のヒンジの開扉力を実現してもよい。
【００５２】
この実施の形態の１つの可能な改良形態において、例えば、開扉デバイスがヒンジボックスの少なくとも１つの側壁の外側または内側に配置されてもよく、その開扉デバイスが、ボックス内で延在し、選択的には回転するタイプの付勢部材に作用する形状であって、選択的にはスパイラルスプリングまたはトーションスプリングである弾性要素を有してもよい。付勢部材は伝達機構によって揺動部の１つおよび／またはヒンジアームに作用し、その伝達機構は、ボックス内に配置され、第１の揺動部と接触する形状を備える揺動伝達要素を選択的に備える。
【００５３】
さらに、ボックス上にスライド可能または回転可能に設けられ、ボックス内で揺動伝達要素を異なる角度位置で停止させるための形状を備えている要素として選択的に構成された、例えば調節部材または停止部材を有する、開扉デバイスの調整機構が存在する。
【００５４】
図１２〜図１４は、本発明の第３の実施の形態に係るヒンジ５０を示している。ヒンジ５０は、家具の固定部に固定されるヒンジアーム５１と、家具のドアに固定され、少なくとも１つの旋回軸を介して、すなわち、図示するような関節システムを介して、スイング可能にヒンジアーム５１に接続されたヒンジボックス５２とを有する。関節システムは、ヒンジの閉扉位置と開扉位置との間の移動を可能にするために、第１の旋回連結揺動部５３と、第２の旋回連結揺動部５４とを有する。
【００５５】
ヒンジは、さらに、アーム５１とヒンジボックス５２との間の相対的な開扉挙動を生じさせるために、選択的にヒンジアーム５１内に配置された開扉デバイス５５を有する。なお、開扉デバイス５５は、ヒンジアーム５１の外側に配置されてもよい。
【００５６】
開扉デバイス５５は、少なくとも１つのスプリング開扉要素５７のための例えばシリンダとして構成された収容用本体５６と、スプリング部材５７を付勢する押さえを備えるステムとして選択的に構成された、移動可能な付勢部材５８とを有する。
【００５７】
さらに、開扉デバイス５５とヒンジボックス５２すなわち連結揺動部材５３、５４の一方との間に、伝達機構５９が存在する。特に、伝達機構５９は、付勢部材５８の一端に連結されて中心軸を中心として揺動するレバー６０と、揺動するレバー６０と第２の揺動部材５４のアーム６２とに連結するリンク機構６１とを有する伝達リンク機構として選択的に構成されている。それにより、スプリング要素５７の開扉力が揺動部材５４に伝達され、閉扉位置から始まり、最大で例えば２０°〜４０°の開扉角度までのヒンジの開扉挙動が生じる。
【００５８】
選択的に、ヒンジは、開扉デバイス５５を調節するまたはその機能を少なくとも部分的に無効にするために、開扉デバイスのための調節機構を有する。図１２〜図１４に示す例示的な実施の形態の調節機構において、調節ねじ６３がシリンダ５６の一端に係合する。それにより、スプリング要素５７の圧縮または解放が可能になり、開扉力を増加または減少させることができる。
【００５９】
調節ねじの代わりとして、他の調節手段、例えば、スプリング要素に作用する形状を備える偏心要素またはスライダを設けることが可能である。あるいは、開扉デバイス５５の位置、例えばスプリング要素５７の収容シリンダ５６の位置を調節することも可能である。
【００６０】
本発明に係るヒンジは、さまざまな改良や変更を受け入れ可能であって、その全てが請求の範囲に含まれ、詳細な構成は技術的に等価な要素と置き換えてもよい。
【００６１】
優先権を主張するイタリア特許出願第１０２０１７００００８９３０７号の開示内容は、参照として本願明細書に組み込まれている。
【００６２】
請求項で言及する技術的特徴には符号が付されており、これらの符号は請求項の理解度を高める目的のみで付されている。したがって、これらの符号は、符号で示されている各要素の解釈を限定するものではない。
【図１】
2020528977.tif 000003
【図２】
2020528977.tif 000004
【図３】
2020528977.tif 000005
【図４】
2020528977.tif 000006
【図５】
2020528977.tif 000007
【図６】
2020528977.tif 000008
【図７】
2020528977.tif 000009
【図８】
2020528977.tif 000010
【図９】
2020528977.tif 000011
【図１０】
2020528977.tif 000012
【図１１】
2020528977.tif 000013
【図１２】
2020528977.tif 000014
【図１３】
2020528977.tif 000015
【図１４】
2020528977.tif 000016
【国際調査報告】
2020528977.tif 000017
2020528977.tif 000018
2020528977.tif 000019